(57)【要約】【課題】記録装置に記録されているデータの削除を指示する操作を行うための管理端末を含んだデータ管理システムにおいて、データをまとめて削除する際の負荷の上昇を防ぐとともに、削除を指示したデータに対する誤操作も防止する。【解決手段】管理端末１０での操作によって削除が指示されたことに基づき、削除を指示された全てのデータを画面上で直ちに非表示にする非表示処理手段５，６，９，１０及び１１と、管理端末１０での操作によって削除が指示された以降、削除を指示された各データを、１データ毎に時間的に間隔をあけて記録装置１〜３から削除させる削除処理手段１２とを備える。【選択図】図１
2008083989.tif 000002
【特許請求の範囲】
【請求項１】
記録装置に記録されているデータが画面にリスト表示され、前記画面に表示されたデータの削除を指示する操作を行うための管理端末
を含んだデータ管理システムにおいて、
前記管理端末での操作によって削除が指示されたことに基づき、削除を指示された全てのデータを前記画面上で直ちに非表示にする非表示処理手段と、
前記管理端末での操作によって削除が指示された以降、削除を指示された各データを、１データ毎に時間的に間隔をあけて前記記録装置から削除させる削除処理手段と
を備えたことを特徴とするデータ管理システム。
【請求項２】
請求項１に記載のデータ管理システムにおいて、
前記記録装置に記録されているデータのリストを記憶するデータベース端末と、
前記管理端末以外のオペレーション端末と
をさらに含んでおり、前記管理端末及び前記管理端末以外のオペレーション端末は、各々、前記データベース端末内のリストに基づき、前記記録装置に記録されているデータを画面にリスト表示し、
前記管理端末は、操作によって削除が指示されたデータを前記データベース端末に通知する第１の処理を行い、
前記データベース端末は、前記通知に基づき、リストを記憶しているデータのうち削除を指示された全てのデータに削除予約情報を付加する第２の処理を行い、
前記管理端末及び前記オペレーション端末は、前記削除予約情報を付加された全てのデータを前記画面上で直ちに非表示にする第３の処理を行い、
前記第１の処理，前記第２の処理及び前記第３の処理によって前記非表示処理手段が実現され、
前記削除処理手段は、前記削除予約情報を付加されたデータを、前記データベース端末のリストから削除させるとともに、１データ毎に時間的に間隔をあけて前記記録装置から削除させる
ことを特徴とするデータ管理システム。
【請求項３】
請求項１に記載のデータ管理システムにおいて、
前記管理端末に、データの削除間隔を設定する操作を行うための設定画面が表示され、
前記削除処理手段は、前記設定画面で設定された間隔をあけてデータを削除させる
ことを特徴とするデータ管理システム。
【請求項４】
請求項１に記載のデータ管理システムにおいて、
前記削除処理手段は、前記管理端末以外のバックグラウンド用の端末によって実現されることを特徴とするデータ管理システム。
【発明の詳細な説明】
【技術分野】
【０００１】
本発明は、記録装置に記録されているデータの削除を指示する操作を行うための管理端末を含んだデータ管理システムに関する。
【背景技術】
【０００２】
テレビジョン放送局では、一般に、素材であるＡＶ（オーディオ・ビデオ）データを記録するための大容量のＡＶサーバーと、ＡＶサーバー内の素材のリストを記憶するデータベース端末と、素材の収録，編集，管理等を行う複数のオペレーション端末とをネットワークで接続したＡＶサーバーシステムが構築されている。
【０００３】
本出願人は、こうしたＡＶサーバーシステムにおいて、複数の編集端末から同時にビデオサーバーに対してＡＶデータの転送要求があった際の負荷を軽減するための発明を既に提案済みである（特許文献１）。
【０００４】
しかし、こうしたＡＶサーバーシステムでは、ＡＶサーバー内のデータを削除する際にも負荷の上昇が起こり得る。それは、以下のような事情による。
【０００５】
ＡＶサーバーに記録させたＡＶデータは、オンエアが終了すると、ＡＶサーバーに記録させておく必要がなくなるので、別のアーカイブに転送した後、ＡＶサーバーから削除することになる。ところが、こうした削除の作業は、毎日行われるとは限らず、ＡＶサーバーの容量がほぼ一杯になったとき（例えばデータ数が１０００個程度になったとき）にまとめて行われる場合もある。そうした場合、従来のＡＶサーバーシステムでは、管理端末（素材管理用のオペレーション端末）で削除を指示したことに基づき、次のような削除処理が行われていた。
【０００６】
〔削除処理〕：削除を指示された１個目のＡＶデータを、データベース端末内のリストから削除するとともにＡＶサーバーから削除した後、データベース端末から他の各オペレーション端末に、当該ＡＶデータが削除されたことを通知する。各オペレーション端末では、ＡＶサーバー内のＡＶデータがリスト表示される画面上で、当該ＡＶデータを非表示にする。その後、削除を指示された２個目以下の各ＡＶデータについても、時間間隔をあけずに連続して同じ処理を繰り返す。
【０００７】
このように多数のコンテンツを連続して削除していくと、データベース端末や各オペレーション端末の負荷（ＣＰＵ使用率）が上昇してしまう。そして、削除が完了するまでの何分かの間、この負荷の上昇を原因としてオペレーション端末の操作を行えなくなることがある。
【０００８】
【特許文献１】特開２００４−１５７６１５号公報
【発明の開示】
【発明が解決しようとする課題】
【０００９】
ここで、ＡＶサーバー内のＡＶデータをまとめて削除する際に、各ＡＶデータを連続して削除するのではなく１個のＡＶデータ毎に時間的に間隔をあけて削除するようにすれば、こうした負荷の上昇を防ぐことは可能である。
【００１０】
しかし、単にこのように時間間隔をあけて削除を行っただけでは、削除を指示した全てのＡＶデータが各オペレーション端末の画面上で非表示になるまでに時間がかかる（最後に削除されるＡＶデータは、しばらく画面に表示され続ける）。そのため、本当に削除されるのかをなかなか確認することができないので、再度削除を指示する操作（重複する無駄な誤操作）を行ってしまうことがある。また、このように画面に表示され続けている間に、削除されないＡＶデータであると誤認識して、その前提のもとになんらかの操作（実際にはその後削除されるので、無効な誤操作）が行われてしまうこともある。
【００１１】
本発明は、上述の点に鑑み、こうしたＡＶサーバーシステムのような、記録装置に記録されているデータの削除を指示する操作を行うための管理端末を含んだデータ管理システムにおいて、データをまとめて削除する際の負荷の上昇を防ぐとともに、削除を指示したデータについての誤操作も防止することを課題とする。
【課題を解決するための手段】
【００１２】
上記課題を解決するため、本発明は、
記録装置に記録されているデータが画面にリスト表示され、この画面に表示されたデータの削除を指示する操作を行うための管理端末
を含んだデータ管理システムにおいて、
この管理端末での操作によって削除が指示されたことに基づき、削除を指示された全てのデータをこの画面上で直ちに非表示にする非表示処理手段と、
この管理端末での操作によって削除が指示された以降、削除を指示された各データを、１データ毎に時間的に間隔をあけてこの記録装置から削除させる削除処理手段と
を備えたことを特徴とする。
【００１３】
このデータ管理システムでは、管理端末でデータの削除を指示すると、削除を指示した全てのデータが、管理端末の画面上で直ちに非表示にされる。そして、データの削除が指示された以降、削除を指示された各データが、１データ毎に時間的に間隔をあけて記録装置から削除される。このように、１データ毎に時間間隔をあけて削除するので、データをまとめて削除する際の負荷の上昇を防ぐことができる。
【００１４】
さらに、従来は同期していた削除処理と画面上の表示処理とを非同期とし、画面上では削除を指示したデータを直ちに（実際に削除される前に）非表示にするので、そのデータが削除されることを容易に確認することができる。したがって、そのデータについて再度削除を指示する操作を行ってしまったり、そのデータが削除されないデータであると誤認識してその前提のもとに操作を行ってしまうことを防止することができる。
【００１５】
なお、このデータ管理システムが、
記録装置に記録されているデータのリストを記憶するデータベース端末と、
管理端末以外のオペレーション端末と
をさらに含んでおり、管理端末及び管理端末以外のオペレーション端末が、各々、データベース端末内のリストに基づき、記録装置に記録されているデータを画面にリスト表示する場合には、
管理端末は、操作によって削除が指示されたデータをデータベース端末に通知する第１の処理を行い、
データベース端末は、この通知に基づき、リストを記憶しているデータのうち削除を指示された全てのデータに削除予約情報を付加する第２の処理を行い、
管理端末及びオペレーション端末は、この削除予約情報を付加された全てのデータを画面上で直ちに非表示にする第３の処理を行い、
この第１の処理，第２の処理及び第３の処理によって非表示処理手段が実現され、
削除処理手段は、この削除予約情報を付加されたデータを、データベース端末のリストから削除させるとともに、１データ毎に時間的に間隔をあけて記録装置から削除させる
ことが好適である。
【００１６】
このように、記録装置に記録されているデータのリストを記憶するデータベース端末が、管理端末で削除を指示された全てのデータに削除予約情報を付加し、管理端末及び管理端末以外のオペレーション端末が、この削除予約情報を付加された全てのデータを画面上で直ちに非表示にすることにより、管理端末だけでなく、管理端末以外のオペレーション端末でも、そのデータが削除されることを容易に確認することができ、そのデータについての誤操作を防止することができる。
【発明の効果】
【００１７】
本発明によれば、記録装置に記録されているデータの削除を指示する操作を行うための管理端末を含んだデータ管理システムにおいて、１データ毎に時間間隔をあけて削除を行うことにより、データをまとめて削除する際の負荷の上昇を防止できるとともに、画面上では削除を指示したデータを直ちに（実際に削除される前に）非表示にすることにより、そのデータについて再度削除を指示する操作を行ってしまったり、そのデータが削除されないデータであると誤認識してその前提のもとに操作を行ってしまうことを防止できるという効果が得られる。
【００１８】
また、記録装置に記録されているデータのリストを記憶するデータベース端末が、管理端末で削除を指示された全てのデータに削除予約情報を付加し、管理端末及び管理端末以外のオペレーション端末が、この削除予約情報を付加された全てのデータを画面上で直ちに非表示にするようにした場合には、管理端末だけでなく、管理端末以外のオペレーション端末でも、そのデータが削除されることを容易に確認でき、そのデータについての誤操作を防止できるという効果が得られる。
【発明を実施するための最良の形態】
【００１９】
以下、本発明の実施の形態を図面を用いて具体的に説明する。図１は、本発明を適用したテレビジョン放送局内のＡＶサーバーシステムの構成例を示す図である。このＡＶサーバーシステムでは、素材サーバー１と、送出（プレイアウト）サーバー２と、低解像度用サーバー３と、ファイル変換端末４と、収録端末５と、編集端末６と、プレイアウトマネージャー端末７と、ファイル変換端末８と、データベース端末９と、素材管理端末１０と、送出端末１１と、データ削除端末１２とが、ギガビットイーサネット（登録商標）のようなネットワーク１３で接続されている。
【００２０】
素材サーバー１，送出サーバー２，低解像度用サーバー３は、それぞれＲＡＩＤ（Redundant Arrays of Inexpensive Disks）技術を用いた大容量のＡＶサーバーである。素材サーバー１は、編集対象の素材（ＡＶデータ）を記録するために用いられる。送出サーバー２は、送出対象の素材を記録するために用いられる。低解像度用サーバー３は、素材サーバー１，送出サーバー２内の各ＡＶデータに１対１に対応した低解像度のＡＶデータ（プロキシ画像用のＡＶデータ）を記録するために用いられる。
【００２１】
各端末４〜１２は、それぞれコンピュータ（パーソナルコンピュータあるいはワークステーション）から成っている。
【００２２】
データベース端末９は、素材サーバー１及び送出サーバー２に記録されている素材のリストや、ＡＶサーバーシステムの設定状況の情報等を記憶する端末である。
【００２３】
収録端末５，編集端末６，素材管理端末１０，送出端末１１は、それぞれ素材の収録，ノンリニア編集，管理（削除を含む），送出を行うためのオペレーション端末である。これらの端末５，６，１０及び１１には、データベース端末９内のリストに基づき、それぞれ、素材サーバー１や送出サーバー２に現在記録されているファイル（以下、個々のファイルを「コンテンツ」とも呼ぶ）が画面にリスト表示される。
【００２４】
また、収録端末５，編集端末６，素材管理端末１０，送出端末１１では、素材サーバー１や送出サーバー２に現在記録されているコンテンツのうちの不要なコンテンツを、コンピュータのＯＳによって用意されたファイル管理機能である「ごみ箱」に移す操作や、このごみ箱内のコンテンツを元に戻す操作も行うことができる。収録端末５，編集端末６，素材管理端末１０，送出端末１１のうちのいずれか１台の端末でのこのごみ箱の操作は、データベース端末９を介して、収録端末５，編集端末６，素材管理端末１０，送出端末１１のうちの残りの端末に表示されるごみ箱の画面にも反映される。但し、ごみ箱内のコンテンツの削除を指示する操作は、素材管理端末１０でのみ行うことができる。
【００２５】
ファイル変換端末４は、収録端末５での操作に基づき、放送局と中継現場等とを結ぶ回線や放送局内のＶＴＲ（図示略）からこのＡＶサーバーシステムに供給されるＳＤＩ(Serial Digital Interface)フォーマットのシリアルデジタル信号を、高解像度の画像ファイル及び低解像度のファイルに変換して、高解像度のファイルを素材サーバー１に記録させるとともに、低解像度のファイルを低解像度用サーバー３に記録させるバックグラウンド用の端末である。なお、送出サーバー２は、ＳＤＩに対応したエンコーダ及びデコーダを内蔵しており、前述のＶＴＲでリニア編集された素材は、収録端末５での操作に基づいて直接送出サーバー２に記録させることもできる。
【００２６】
ファイル変換端末８は、編集端末６での編集操作に基づき、編集対象となった複数のファイルを素材サーバー１から受信し、編集内容に基づいて加工及び一本化したファイルを作成した後、それに対応する低解像度のファイルを作成し、それらのファイルを送出サーバー２及び低解像度用サーバー３に記録させるバックグラウンド用の端末である。
【００２７】
プレイアウトマネージャー端末７は、送出端末１１での送出操作に基づき、送出サーバー２から、送出対象のファイルをＳＤＩフォーマットのシリアルデジタル信号にエンコードして放送局内のルーチィングスイッチャ（図示略）に出力させるバックグラウンド用の端末である。
【００２８】
データ削除端末１２は、素材管理端末１０でのコンテンツの削除操作（前述の、ごみ箱内のコンテンツを削除する操作）に基づき、素材サーバー１，送出サーバー２，低解像度用サーバー３及びデータベース端末９にデータを削除させるバックグラウンド用の端末である。
【００２９】
図２及び図３は、素材管理端末１０に表示される画面のうち、本発明に関連する画面を示す図である。このうち、図２は、ごみ箱の画面である。素材サーバー１や送出サーバー２に現在記録されているコンテンツのうち、収録端末５，編集端末６，素材管理端末１０，送出端末１１のうちのいずれかの端末でごみ箱に移されたコンテンツＣ１，Ｃ２，Ｃ３，…が、このごみ箱の画面にリスト表示される（各コンテンツの表示欄の左端の「スタンプ」にはサムネイル画像が表示されるが、図ではこのサムネイル画像の図示は省略している）。
【００３０】
素材管理端末１０では、通常のコンピュータのＯＳにおけるごみ箱の画面と同様な操作により、ごみ箱内のコンテンツの一括削除を指示したり、ごみ箱内のコンテンツのうちの一部のコンテンツを選択して削除を指示することができる。前述のように、収録端末５，編集端末６，送出端末１１にもこのごみ箱の画面は表示されるが、ごみ箱内のコンテンツの削除を指示する操作はそれらの端末では行うことはできない。
【００３１】
図３は、削除間隔設定画面を示す図である。この画面では、素材サーバー１内のコンテンツを削除する際の時間間隔を３秒，５秒，１０秒といった時間の中から選択する操作を行うためのプルダウンメニュー２１（画面左側）と、送出サーバー２内のコンテンツを削除する際の時間間隔を同様にして選択するためのプルダウンメニュー２２（画面右側）とが設けられている。
【００３２】
図４は、ごみ箱内に１０００個のコンテンツが存在している状態で、それらのコンテンツを時間間隔をあけずに連続して削除した場合の、データベース端末９や収録端末５，編集端末６，素材管理端末１０，送出端末１１の負荷（ＣＰＵ使用率）の実測例を示す図である。この場合には、削除を開始してから、素材サーバー１及び送出サーバー２内のこれらの１０００個のコンテンツの削除と、低解像度用サーバー３内の対応する１０００個の低解像度ファイルの削除と、データベース端末９内のリストからのこれらの１０００個のコンテンツの削除と、１個のコンテンツが削除される毎のデータベース端末９から収録端末５，編集端末６，素材管理端末１０，送出端末１１への当該コンテンツが削除された旨の削除通知とが、３分弱で完了した。
【００３３】
しかし、平常時のＣＰＵ使用率が２０％程度であるのに対し、削除を開始してから完了するまでの３分弱の間、ＣＰＵ使用率が６０〜８０％程度にまで上昇した。この３分弱の間は、この負荷の上昇を原因として収録端末５や編集端末６や素材管理端末１０や送出端末１１の操作を行えなくなることがある。
【００３４】
これに対し、図５Ａ，図５Ｂは、同じくごみ箱内に１０００個のコンテンツが存在している状態で、それらのコンテンツを１コンテンツ毎に時間間隔をあけて（図５Ａでは５秒間隔、図５Ｂでは３秒間隔で）削除した場合の、データベース端末９や収録端末５，編集端末６，素材管理端末１０，送出端末１１の負荷の実測例を示す図である。図５Ａに示すように、削除間隔を５秒にすると、削除を完了するまでに３５分２６秒かかったが、削除を開始してから完了するまでのＣＰＵ使用率は２０〜３０％程度（平常時とほとんど変わらない値）になった。また、図５Ｂに示すように、削除間隔を３秒にすると、削除を完了するまでに２４分かかり、削除を開始してから完了するまでのＣＰＵ使用率は２０〜５０％程度になった。
【００３５】
これらの実測例からは、ごみ箱内に１０００個のコンテンツが存在しており、それらのコンテンツをまとめて削除する場合には、１個のコンテンツ毎に５秒の間隔をあけて削除すれば、データベース端末９や収録端末５，編集端末６，素材管理端末１０，送出端末１１の負荷の上昇を防止できることがわかる。
【００３６】
しかし、単にこのように時間間隔をあけて削除を行い、この削除処理と同期して削除済みのコンテンツをごみ箱の画面上で非表示にしたのでは、素材管理端末１０で削除を指示した全てのコンテンツがごみ箱の画面上で非表示になるまでに時間がかかる（最後に削除されるコンテンツは、３０分以上ごみ箱の画面に表示され続ける）。
【００３７】
そのため、本当に削除されるのかをなかなか確認することができないので、素材管理端末１０を操作するオペレータが、再度削除を指示する操作（重複する無駄な誤操作）を行ってしまうことがある。また、このようにごみ箱の画面に表示され続けている間に、素材管理端末１０を操作するオペレータや、あるいは収録端末５，編集端末６または送出端末１１を操作するオペレータが、削除されないコンテンツであると誤認識して、その前提のもとに、ごみ箱から元に戻す操作（実際にはその後削除されるので、無効な誤操作）を行ってしまうこともある。
【００３８】
そこで、このＡＶサーバーシステムでは、素材管理端末１０でコンテンツの削除が指示されると、素材管理端末１０とデータベース端末９，データ削除端末１２との間やデータベース端末９と収録端末５，編集端末６，素材管理端末１０，送出端末１１との間で、次のような処理を実行するようになっている。
【００３９】
すなわち、素材管理端末１０において、図３の削除間隔設定画面で素材サーバー１，送出サーバー２についての削除間隔がそれぞれ選択された後、図２のごみ箱の画面でコンテンツの削除が指示されると、素材管理端末１０は、図６Ａに示すように、削除が指示されたコンテンツを、データベース端末９に通知する。また、削除間隔設定画面での削除間隔の設定結果を、データ削除端末１２に通知する。
【００４０】
データベース端末９は、この通知に基づき、図６Ｂに示すように、リストを記憶しているコンテンツのうち、削除を指示された全てのコンテンツに対して、削除予約されたことを示すフラグを立てる。
【００４１】
収録端末５，編集端末６，素材管理端末１０，送出端末１１は、データベース端末９内のこのフラグを常時監視しており、図６Ｃに示すように、フラグが立った全てのコンテンツを、ごみ箱の画面上で直ちに非表示にする。
【００４２】
データ削除端末１２も、データベース端末９内のこのフラグを常時監視している。そして、データ削除端末１２は、フラグが立ったコンテンツを、データベース端末９のリストから削除させるとともに、素材管理端末１０から通知された削除間隔の設定結果に従って１コンテンツ毎に時間的に間隔をあけて素材サーバー１，送出サーバー２から削除させる。また、素材サーバー１，送出サーバー２からコンテンツを削除させる毎に、低解像度用サーバー３内の対応する低解像度ファイルも削除させる。
【００４３】
このように、このＡＶサーバーシステムでは、１コンテンツ毎に時間間隔をあけて削除を行うので、コンテンツをまとめて削除する際の負荷の上昇を防ぐことができる。さらに、削除処理とごみ箱の画面上の表示処理とを非同期とし、ごみ箱の画面上では削除を指示したコンテンツを直ちに（実際に削除される前に）非表示にする。
【００４４】
図７は、図２に示したようにごみ箱内にコンテンツＣ１，Ｃ２，Ｃ３，…が存在する状態（図７Ａ）において、素材管理端末１０でこれらのコンテンツＣ１，Ｃ２，…Ｃｎの一括削除を指示した直後のごみ箱の画面（図７Ｂ）を示す図である。一括削除を指示した直後に、それまでごみ箱内にあった全てのコンテンツＣ１，Ｃ２，Ｃ３，…が非表示になる。
【００４５】
このように、ごみ箱の画面上では削除を指示したコンテンツを直ちに（実際に削除される前に）非表示にすることにより、そのコンテンツが削除されることを容易に確認できるので、そのコンテンツについて再度削除を指示する操作（無駄な誤操作）を行ってしまったり、そのコンテンツが削除されないコンテンツであると誤認識してその前提のもとにごみ箱から元に戻す操作（無効な誤操作）を行ってしまうことを防止できる。
【００４６】
また、データベース端末９が、素材管理端末１０で削除を指示された全てのコンテンツに削除予約情報（フラグ）を付加し、収録端末５，編集端末６，素材管理端末１０，送出端末１１が、この削除予約情報を付加された全てのコンテンツをごみ箱の画面上で直ちに非表示にすることにより、素材管理端末１０だけでなく、収録端末５，編集端末６，送出端末１１でも、そのコンテンツが削除されることを容易に確認できるので、そのコンテンツが削除されないコンテンツであると誤認識してその前提のもとにごみ箱から元に戻す操作を行ってしまうことを防止できる。
【００４７】
なお、以上の例では、素材サーバー１，送出サーバー２，低解像度用サーバー３からコンテンツを削除させたりデータベース端末９のリストからコンテンツを削除させる処理を、素材管理端末１０とは別のバックグラウンド用のデータ削除端末１２に実行させている。これは素材管理端末１０だけに負荷が集中することを避けるためであるが、別の例として、素材管理端末１０のＣＰＵに十分な処理能力がある場合には、こうした削除処理を素材管理端末１０自身に実行させるようにしてもよい。
【００４８】
また、以上の例ではＡＶサーバーシステムに本発明を適用しているが、本発明は、記録装置に記録されているデータが画面にリスト表示され、この画面に表示されたデータの削除を指示する操作を行うための管理端末を含んだあらゆるデータ管理システムに適用してよい。そして、管理端末以外にこうした画面が表示される端末が存在せず、記録装置内のデータのリストを記憶するデータベース端末も存在しないようなデータ管理システムにおいては、管理端末のみが、削除を指示された全てのデータをこの画面上で直ちに非表示にしてもよい。
【図面の簡単な説明】
【００４９】
【図１】本発明を適用したＡＶサーバーシステムの構成例を示す図である。
【図２】素材管理端末に表示されるごみ箱の画面を示す図である。
【図３】素材管理端末に表示される削除間隔設定画面を示す図である。
【図４】コンテンツを連続して削除した場合のＣＰＵ使用率の実測例を示す図である。
【図５】コンテンツを時間間隔をあけて削除した場合のＣＰＵ使用率の実測例を示す図である。
【図６】コンテンツの削除操作に基づく各端末の処理を示す図である。
【図７】コンテンツの削除指示直後のごみ箱の画面を示す図である。
【符号の説明】
【００５０】
１  素材サーバー、  ２  送出サーバー、  ３  低解像度用サーバー、  ４  ファイル変換端末、  ５  収録端末、  ６  編集端末、  ７  プレイアウトマネージャー端末、  ８  ファイル変換端末、  ９  データベース端末、  １０  素材管理端末、  １１  送出端末、  １２  データ削除端末、  １３  ネットワーク
【図１】
2008083989.tif 000003
【図２】
2008083989.tif 000004
【図３】
2008083989.tif 000005
【図４】
2008083989.tif 000006
【図５】
2008083989.tif 000007
【図６】
2008083989.tif 000008
【図７】
2008083989.tif 000009